(57)【要約】【課題】  横梁下方のスペースが制限されていても端横桁の取り替えを可能とする。【解決手段】  各外主桁４，６と中主桁５の桁端縁部同士を端横桁８ａ，８ｂで接続し、鋼製橋脚１の横梁３に設けた桁受ブラケット９ｂと９ａ，９ｃに、中主桁５の桁端と各端横桁８ａ，８ｂを支承１０を介し支持させたＩ桁橋にて、横梁３に設けた各外主桁用ジャッキアップ用受台１７と第１の端横桁ジャッキアップ用受台１９ａ上の各ジャッキ２０ａ，２０ｂと２０ｃにより各外主桁４，６と一方の端横桁８ａをジャッキアップした状態で、他方の端横桁８ｂを新しい端横桁２１ｂに取り替える。その後、横梁３に設けた第２の端横桁ジャッキアップ用受台上のジャッキにより新設の他方の端横桁２１ｂをジャッキアップして、ジャッキ２０ｃより荷重を受替えた状態で、一方の端横桁８ａを新しい端横桁に取り替える。【選択図】図４
2011052434.tif 000002
【特許請求の範囲】
【請求項１】
橋幅方向両端部に位置する各外主桁と橋幅方向の内側に位置する中主桁とを、橋脚の横梁と平行に橋幅方向に延びる別々の支承用の横桁で接続し、且つ上記橋脚の横梁の橋軸方向の側面に突設した桁受ブラケットに、上記中主桁の桁端と、上記各支承用の横桁の橋幅方向外側端部寄り個所を、それぞれ支承を介して支持させてなる桁橋における上記各外主桁をジャッキアップすると共に、上記各支承用の横桁のうちの一方の外主桁側の横桁をジャッキアップした状態で、上記各支承用の横桁のうちの他方の外主桁側の横桁を、新しい横桁に取り替え、次いで、上記各外主桁をジャッキアップした状態で、上記取り替えられた他方の新設の横桁をジャッキアップし、上記支承用の一方の外主桁側の横桁をジャッキダウンしてから、該ジャッキダウンした一方の横桁を新しい横桁に取り替えるようにすることを特徴とする横桁取替方法。
【請求項２】
各外主桁をジャッキアップすると共に、各支承用の横桁のうちの一方の外主桁側の横桁をジャッキアップしたとき、又は、各外主桁をジャッキアップした状態で、取り替えられた他方の新設の横桁をジャッキアップしたときに、橋脚の横梁に突設してある各桁受ブラケットのうち、各支承用の横桁の橋幅方向外側端部寄り個所の支持に用いられていた各桁受ブラケットを撤去するようにし、更に、支承用の他方及び一方の横桁が新設の横桁に取り替えられた状態で、各外主桁の桁端を、該各外主桁の桁端直下位置にそれぞれ新設した各ブラケットに新規支承を介して載置すると共に、中主桁の桁端を、対応する桁受ブラケット上に既設の支承に取り替えて設けた新規支承を介して載置するようにする請求項１記載の横桁取替方法。
【請求項３】
各外主桁をジャッキアップすると共に、各支承用の横桁のうちの一方の外主桁側の横桁をジャッキアップしたとき、又は、各外主桁をジャッキアップした状態で、取り替えられた他方の新設の横桁をジャッキアップしたときに、橋脚の横梁に突設してある各桁受ブラケットのうち、中主桁の桁端の支持に用いられていた既設の桁受ブラケットを、新たな桁受ブラケットに取り替えて、中主桁の桁端を、上記取り替えた新設の桁受ブラケット上に新規支承を介して載置するようにする請求項１又は２記載の横桁取替方法。
【発明の詳細な説明】
【技術分野】
【０００１】
本発明は、桁橋における各主桁の桁端縁部同士を連結する横桁であって、且つ上記各主桁からの荷重を支承を介して橋脚側の桁受ブラケットへ伝えて支持させるようにしてある横桁を取り替えるために用いる横桁取替方法に関するものである。
【背景技術】
【０００２】
鋼橋の形式の１つに、多主Ｉ桁橋があり、この種の多主Ｉ桁橋の一例としては、たとえば、首都高速道路等の都市部の高架橋で用いられている図３５（イ）（ロ）（ハ）及び図３６に示す如き３主Ｉ桁橋がある。
【０００３】
これは、橋幅方向の両側に立設した一対の脚柱２と、橋幅方向に延びてその両端部を上記各脚柱２にそれぞれ一体に取り付けた横梁３とからなる門型の鋼製橋脚１を備えている。
【０００４】
更に、Ｉ桁からなる３本の主桁４，５，６を、橋幅方向に所要間隔で配置して、該各主桁４，５，６のうち、橋幅方向両端部の各主桁（以下、外主桁と云う）４，６の桁端はフルウェブとすると共に、橋幅方向中央部の主桁（以下、中主桁と云う）５の桁端には下部側に切欠き部７を設ける。且つ上記中主桁５における上記切欠き部７の上側の桁端より所要寸法離れた桁端縁部所要個所の両側面と、その両側に位置する上記各外主桁４，６の桁端より所要寸法離れた桁端縁部所要個所の上部内側面とを、上記鋼製橋脚１の横梁３と平行に橋幅方向に延びる別々の支承用の横桁（以下、端横桁と云う）８ａと８ｂを介しそれぞれ一体に接続した構成として、上記中主桁５の切欠き部７が設けてある桁端と、上記各端横桁８ａ，８ｂの橋幅方向の外側端部寄り位置とを、上記鋼製橋脚１の横梁３の各橋軸方向面の下部に突設した桁受ブラケット９ａ，９ｂ，９ｃの上側に、支承（シュー）１０を介して支持させた構成としてある。
【０００５】
かかる構成としてあるＩ桁橋によれば、上記鋼製橋脚１の横梁３に、上記各主桁４，５，６を、該横梁３の上下寸法内で受けさせることができるため、上記横梁３の上下端部の高さ位置と、上記各主桁４，５，６の上下端部の高さ位置を揃えることができて、建築限界等により桁高制限を受ける場合に有利な構成とすることができるようにしてある。なお、図３５（イ）（ロ）（ハ）及び図３６では図示する便宜上、上記鋼製橋脚１の横梁３及び各主桁４，５，６の上側に設ける床版の記載を省略してある。（以後の図も同様。）
ところで、近年、上記図３５（イ）（ロ）（ハ）及び図３６に示した如き構成を有するＩ桁橋では、老朽化に伴い、各支承１０の機能の劣化や、支承周りの損傷が指摘されてきている。
【０００６】
そのために、上記各支承１０の取り替えによる機能回復と、支承周りの補強を行うことができる改修方法として、いわゆる主桁フルウェブ化工事が従来行われている（たとえば、非特許文献１参照）。
【０００７】
上記主桁フルウェブ化工事は、たとえば、図３７（イ）（ロ）乃至図３９（イ）（ロ）（ハ）の手順で行うようにしてある。すなわち、先ず、図３７（イ）（ロ）に示す如く、図３５（イ）（ロ）（ハ）及び図３６に示したと同様の構成としてあるＩ桁橋における鋼製橋脚１の横梁３の下側に、橋軸方向に各主桁４，５，６の桁端の下方位置まで延びる幅広の増設横梁１１を配置して、その上端部を上記横梁３の下端部に一体に取り付けると共に、該増設横梁１１の橋幅方向の両端部を、両脚柱２にそれぞれ一体に固定する。この際、上記増設横梁１１の各橋軸方向面における上記各主桁４，５，６の真下となる位置には、予め、ジャッキアップ用受台１２ａ，１２ｂ，１２ｃを、対応する主桁４又は５又は６に沿わせて所要寸法突出させてそれぞれ設けておくようにする。なお、上記中主桁５の下方位置のジャッキアップ用受台１２ｂは、図３７（ロ）に示すように、該中主桁５の切欠き部７よりも支間中央側のフルウェブとなっている部分の下方位置まで突出させておくようにする。
【０００８】
次に、図３８（イ）（ロ）（ハ）に示すように、上記増設横梁１１の各ジャッキアップ用受台１２ａ，１２ｂ，１２ｃ上にそれぞれ設置したジャッキ１３により、上記すべての主桁４，５，６を同時にジャッキアップして、上記各主桁４，５，６に作用している荷重を、上記各ジャッキ１３及び各ジャッキアップ用受台１２ａ，１２ｂ，１２ｃを介して上記増設横梁１１に伝えて支持させるようにする。
【０００９】
次いで、上記のようにして、上記各ジャッキ１３によりすべての主桁４，５，６を同時にジャッキアップさせることで、隣接する主桁４と５及び主桁５と６の桁端縁部同士を接続している各端横桁８ａ，８ｂ、及び、上記鋼製橋脚１の横梁３の各橋軸方向面に既設の各桁受ブラケット９ａ，９ｂ，９ｃとその上側の各支承１０には、上記各主桁４，５，６からの荷重が掛からなくなるため、この状態で、上記横梁３より上記既設の各桁受ブラケット９ａ，９ｂ，９ｃ及び既設の各支承１０を撤去するようにする。
【００１０】
その後、上記中主桁５の切欠き部７の周りに設けてあった下フランジを切除してから、図３９（ロ）に示すように、中主桁５の桁端の残存するウェブに、所要形状のフルウェブ化補強部材１４をボルト接合して、中主桁５の桁端をフルウェブ化する。更に、上記フルウェブ化された中主桁５の桁端における上記増設横梁１１の上方で且つ後述する新規支承１６の上方に配される位置には、支点上補剛材１５をウェブ両側面と下フランジにリブ状に取り付けて補強しておくようにする。
【００１１】
又、同様に、図３９（ハ）に示すように、上記各外主桁４，６の桁端における上記増設横梁１１の上方で且つ後述する新規支承１６の上方に配される位置にも、支点上補剛材１５をウェブ両側面と下フランジにリブ状に取り付けて補強しておくようにする。
【００１２】
上記のようにして中主桁５の桁端のフルウェブ化が終了した後は、図３９（イ）（ロ）（ハ）に示すように、上記増設横梁１１における各主桁４，５，６の桁端の下方となる位置に、新規支承１６をそれぞれ設置してから、上記各ジャッキ１３をジャッキダウンすることにより、上記各主桁４，５，６の桁端を、上記各新規支承１６を介して上記増設横梁１１に支持させるようにして、支承の取り替えと支承周りの補強の工事を終了する。
【００１３】
しかる後、上記各ジャッキ１３及びジャッキアップ用受台１２ａ，１２ｂ，１２ｃをそれぞれ撤去するようにしてある。
【００１４】
なお、上記増設横梁１１の各ジャッキアップ用受台１２ａ，１２ｂ，１２ｃ上に設置した各ジャッキ１３によりすべての主桁４，５，６を同時にジャッキアップさせる工程の後は、上記既設の各端横桁８ａ，８ｂに上記各主桁４，５，６からの荷重が作用しなくなる。このため、該各端横桁８ａ，８ｂは、上記すべての主桁４，５，６の同時ジャッキアップ工程の後で、必要に応じて取り替え等を行うようにしてある。
【先行技術文献】
【非特許文献】
【００１５】
【非特許文献１】下里哲弘，「首都高速道路の若返り作戦」，ＪＳＳＣ会誌，社団法人日本鋼構造協会，２００３年１０月，Ｎｏ.５０，ｐ.１−１０
【発明の概要】
【発明が解決しようとする課題】
【００１６】
ところが、従来行われている主桁フルウェブ化工事では、鋼製橋脚１の既設の横梁３の下側に、ジャッキアップ用受台１２ａ，１２ｂ，１２ｃを具備した増設横梁１１を設けて、上記各ジャッキアップ用受台１２ａ，１２ｂ，１２ｃ上にそれぞれ設置したジャッキ１３により上記すべての主桁４，５，６を同時にジャッキアップすることで、隣接する主桁４と５及び主桁５と６の桁端縁部同士を接続している既設の各端横桁８ａ，８ｂ、及び、既設の各桁受ブラケット９ａ，９ｂ，９ｃ、及び、既設の各支承１０に上記各主桁４，５，６より作用している荷重を一度に抜くことができるため、上記すべての主桁４，５，６の同時ジャッキアップ工程の後で、上記既設の各端横桁８ａ，８ｂの取り替えや、各桁受ブラケット９ａ，９ｂ，９ｃ及び各支承１０の撤去や取り替えを行うことが可能となるが、該主桁フルウェブ化工事では、上記増設横梁１１を、元々フルウェブとしてある各外主桁４，６の桁端と、新たにフルウェブ化する中主桁５の桁端を新規支承１６を介して下方から受けることができるよう鋼製橋脚１の既設の横梁３の下側に設ける必要があるため、建築限界により上記既設の横梁３の下側の空間が制限されていて、上記増設横梁１１を取り付けるための上下方向のスペースが確保できないＩ桁橋に対しては適用することができない。
【００１７】
そのために、上記したように鋼製橋脚１の既設の横梁３の下側に増設横梁１１を取り付けるための上下方向のスペースが確保できないＩ桁橋においては、支承１０及び支承周りの補修や補強を行う手順上、上記既設の各端横桁８ａ，８ｂの取り替えが望まれる場合であっても、上記既設の各端横桁８ａ，８ｂより、各支承１０と既設の各桁受ブラケット９ａ，９ｂ，９ｃを介して各主桁４，５，６の荷重を上記横梁３へ伝える荷重伝達経路に作用している荷重を抜くための手法が特に提案されていないため、上記既設の各端横桁８ａ，８ｂを取り替える工事は従来行われていないというのが実状である。
【００１８】
そこで、本発明は、桁橋における各主桁の桁端縁部同士を連結し且つ上記各主桁からの荷重を支承を介して橋脚側の桁受ブラケットへ伝えて支持させるようにしてある既設の横桁を、新たな横桁に取り替えることができ、更には、支承の取り替えによる機能回復や、支承周りの補強を図ることができるようにするための横桁取替方法を提供しようとするものである。
【課題を解決するための手段】
【００１９】
本発明は、上記課題を解決するために、請求項１に対応して、橋幅方向両端部に位置する各外主桁と橋幅方向の内側に位置する中主桁とを、橋脚の横梁と平行に橋幅方向に延びる別々の支承用の横桁で接続し、且つ上記橋脚の横梁の橋軸方向の側面に突設した桁受ブラケットに、上記中主桁の桁端と、上記各支承用の横桁の橋幅方向外側端部寄り個所を、それぞれ支承を介して支持させてなる桁橋における上記各外主桁をジャッキアップすると共に、上記各支承用の横桁のうちの一方の外主桁側の横桁をジャッキアップした状態で、上記各支承用の横桁のうちの他方の外主桁側の横桁を、新しい横桁に取り替え、次いで、上記各外主桁をジャッキアップした状態で、上記取り替えられた他方の新設の横桁をジャッキアップし、上記支承用の一方の外主桁側の横桁をジャッキダウンしてから、該ジャッキダウンした一方の横桁を新しい横桁に取り替えるようにする。
【００２０】
又、上記構成において、各外主桁をジャッキアップすると共に、各支承用の横桁のうちの一方の外主桁側の横桁をジャッキアップしたとき、又は、各外主桁をジャッキアップした状態で、取り替えられた他方の新設の横桁をジャッキアップしたときに、橋脚の横梁に突設してある各桁受ブラケットのうち、各支承用の横桁の橋幅方向外側端部寄り個所の支持に用いられていた各桁受ブラケットを撤去するようにし、更に、支承用の他方及び一方の横桁が新設の横桁に取り替えられた状態で、各外主桁の桁端を、該各外主桁の桁端直下位置にそれぞれ新設した各ブラケットに新規支承を介して載置すると共に、中主桁の桁端を、対応する桁受ブラケット上にて既設の支承に取り替えて設けた新規支承を介して載置するようにする。
【００２１】
更に、上記構成において、各外主桁をジャッキアップすると共に、各支承用の横桁のうちの一方の外主桁側の横桁をジャッキアップしたとき、又は、各外主桁をジャッキアップした状態で、取り替えられた他方の新設の横桁をジャッキアップしたときに、橋脚の横梁に突設してある各桁受ブラケットのうち、中主桁の桁端の支持に用いられていた既設の桁受ブラケットを、新たな桁受ブラケットに取り替えて、中主桁の桁端を、上記取り替えた新設の桁受ブラケット上に新規支承を介して載置するようにする。
【発明の効果】
【００２２】
本発明の横桁取替方法によれば、以下のような優れた効果を発揮する。 
（１）橋幅方向両端部に位置する各外主桁と橋幅方向の内側に位置する中主桁とを、橋脚の横梁と平行に橋幅方向に延びる別々の支承用の横桁で接続し、且つ上記橋脚の横梁の橋軸方向の側面に突設した桁受ブラケットに、上記中主桁の桁端と、上記各支承用の横桁の橋幅方向外側端部寄り個所を、それぞれ支承を介して支持させてなる桁橋における上記各外主桁をジャッキアップすると共に、上記各支承用の横桁のうちの一方の外主桁側の横桁をジャッキアップした状態で、上記各支承用の横桁のうちの他方の外主桁側の横桁を、新しい横桁に取り替え、次いで、上記各外主桁をジャッキアップした状態で、上記取り替えられた他方の新設の横桁をジャッキアップし、上記支承用の一方の外主桁側の横桁をジャッキダウンしてから、該ジャッキダウンした一方の横桁を新しい横桁に取り替えるようにしてあるので、上記各支承用の横桁を順次取り替えることができ、よって、橋脚の横梁の下側に増設横梁を取り付けるための上下方向のスペースが確保できないために主桁フルウェブ化工事を適用できない桁橋においても、上記各支承用の横桁の新設の横桁への取替作業を確実に実施することができる。 
（２）各外主桁をジャッキアップすると共に、各支承用の横桁のうちの一方の外主桁側の横桁をジャッキアップしたとき、又は、各外主桁をジャッキアップした状態で、取り替えられた他方の新設の横桁をジャッキアップしたときに、橋脚の横梁に突設してある各桁受ブラケットのうち、各支承用の横桁の橋幅方向外側端部寄り個所の支持に用いられていた各桁受ブラケットを撤去するようにし、更に、支承用の他方及び一方の横桁が新設の横桁に取り替えられた状態で、各外主桁の桁端を、該各外主桁の桁端直下位置にそれぞれ新設した各ブラケットに新規支承を介して載置すると共に、中主桁の桁端を、対応する桁受ブラケット上にて既設の支承に取り替えて設けた新規支承を介して載置するようにすることにより、各主桁の荷重を支持するための支承をすべて新規支承へ取り替えることができて、支承の機能回復を図ることができると共に、支承周りの補強を行うことが可能になる。
（３）各外主桁をジャッキアップすると共に、各支承用の横桁のうちの一方の外主桁側の横桁をジャッキアップしたとき、又は、各外主桁をジャッキアップした状態で、取り替えられた他方の新設の横桁をジャッキアップしたときに、橋脚の横梁に突設してある各桁受ブラケットのうち、中主桁の桁端の支持に用いられていた既設の桁受ブラケットを、新たな桁受ブラケットに取り替えて、中主桁の桁端を、上記取り替えた新設の桁受ブラケット上に新規支承を介して載置するようにすることにより、中主桁の桁端を、新規桁受ブラケットに支持させることで、該中主桁を支持する支承回りの補強を実施することができる。
【図面の簡単な説明】
【００２３】
【図１】本発明の横桁取替方法の実施の一形態を示す手順のフロー図である。
【図２】図１の方法のステップＡ１ａで各外主桁の桁端に切欠き部を設け、ステップＡ１ｂで横梁に外主桁ジャッキアップ用受台を設け、ステップＡ２で横梁に第１の端横桁ジャッキアップ用受台を設けた状態を示すもので、（イ）は概略平面図、（ロ）は（イ）のＡ−Ａ方向矢視図、（ハ）は（イ）のＢ−Ｂ方向矢視図である。
【図３】図１の方法のステップＡ３で各外主桁及び既設の一方の端横桁をジャッキアップした状態を示すもので、（イ）は概略平面図、（ロ）は（イ）のＣ−Ｃ方向矢視図である。
【図４】図１の方法にて、図３のジャッキアップの後の手順を示すもので、（イ）はステップＡ４で既設の他方の端横桁を撤去した状態を、（ロ）はステップＡ５で新設の他方の端横桁を取り付けた状態をそれぞれ示す図３（ロ）に対応する図である。
【図５】図１の方法のステップＡ６で第２の端横桁ジャッキアップ用受台を設けた状態を示すもので、（イ）は概略平面図、（ロ）は（イ）のＤ−Ｄ方向矢視図である。
【図６】図１の方法にて、図５の後の手順を示すもので、（イ）はステップＡ７で第１の端横桁ジャッキアップ用受台上のジャッキより第２の端横桁ジャッキアップ用受台上のジャッキに荷重を受替えた状態を、（ロ）はステップＡ８で既設の一方の端横桁を撤去した状態を、（ハ）はステップＡ９で新設の一方の端横桁を取り付けた状態を、それぞれ示す図５（ロ）に対応する図である。
【図７】図１の方法のステップＡ１０で各外主桁と新設の他方の端横桁をジャッキアップしていた各ジャッキをジャッキダウンする状態を示すもので、（イ）は概略平面図、（ロ）は（イ）のＥ−Ｅ方向矢視図である。
【図８】図１の方法のステップＡ１ａで外主桁に切欠き部を設ける場合の補強手順を示すもので、（イ）は外主桁の橋幅方向外側面に外主桁外側補強部材を取り付ける状態を、（ロ）は、外主桁の橋幅方向内側面の既設補剛材を撤去した状態をそれぞれ示す概略斜視図である。
【図９】図１の方法のステップＡ１ａで外主桁に切欠き部を設ける場合の補強手順における図８（ロ）の後の手順を示すもので、（イ）は外主桁の橋幅方向内側面に外主桁内側補強材を取り付ける状態を、（ロ）は外主桁の桁端に切欠きを設けた状態をそれぞれ示す概略斜視図である。
【図１０】図１の方法のステップＡ１ａで外主桁に切欠き部を設ける場合の補強手順における図９（ロ）の後の手順を示すもので、各外主桁に外主桁内側桁端補強材を取り付ける状態を示す概略斜視図である。
【図１１】図１の方法で中主桁の桁端の補強を行う場合の手順を示すもので、（イ）は中主桁の橋幅方向一側面の既設補剛材を撤去した状態を、（ロ）は中主桁の橋幅方向一側面に中主桁補強材を取り付ける状態をそれぞれ示す概略斜視図である。
【図１２】図１の方法で中主桁の桁端の補強を行う場合の手順における図１１（ロ）の後の手順を示すもので、（イ）は中主桁の橋幅方向他端面の既設補剛材を撤去した状態を、（ロ）は中主桁の橋幅方向他側面に中主桁補強材を取り付ける状態をそれぞれ示す概略斜視図である。
【図１３】図１の方法で中主桁の桁端の補強を行う場合の手順における図１２（ロ）の後の手順を示すもので、中主桁の橋幅方向の各側面に中主桁桁端補強材をそれぞれ取り付ける状態を示す概略斜視図である。
【図１４】図１の方法で中主桁の桁端の補強を行う場合の手順における図１３の後の手順を示すもので、中主桁の桁端の既設の切欠き部の周りのウェブを切断して新たな切欠き部を形成した状態を示す概略側面図である。
【図１５】本発明の実施の他の形態として図１の方法の応用例を示す手順のフロー図である。
【図１６】図１５の方法にて、図４（イ）に示したと同様のステップＡ４の後に続いて行うステップＡ４ａで既設の他方の端横桁を支持していた桁受ブラケットと支承を撤去した状態を示す図４（イ）に対応する図である。
【図１７】図１５の方法にて、図６（ロ）に示したと同様のステップＡ８の後に続いて行うステップＡ８ａで既設の一方の端横桁を支持していた桁受ブラケットと支承を撤去した状態を示す図６（ロ）に対応する図である。
【図１８】図１５の方法にて、図６（ハ）に示したと同様のステップＡ９の後の手順を示すもので、（イ）はステップＡ１２で各主桁の荷重を各端横桁ジャッキアップ用受台上のジャッキに受替えた状態を、（ロ）はステップＡ１３で各外主桁用の各外主桁ジャッキアップ用受台とその上のジャッキを撤去した状態を、それぞれ示す図６（ハ）に対応する図である。
【図１９】図１５の方法のステップＡ１４で各外主桁の桁端直下に支点用ブラケットを設けた状態を示すもので、（イ）は概略平面図、（ロ）は（イ）のＦ−Ｆ方向矢視図、（ハ）は（イ）のＧ−Ｇ方向矢視図である。
【図２０】図１５の方法のステップＡ１５で各新設の端横桁をジャッキアップしていたジャッキをジャッキダウンする状態を示す図１９（ハ）に対応する図である。
【図２１】図１５の方法のステップＡ１６で各端横桁ジャッキアップ用受台とその上のジャッキを撤去した後の状態を示すもので、（イ）は概略平面図、（ロ）は（イ）のＨ−Ｈ方向矢視図、（ハ）は（イ）のＩ−Ｉ方向矢視図である。
【図２２】本発明の実施の更に他の形態を示す手順のフロー図である。
【図２３】図２２の方法のステップＢ１で外主桁の桁端に切欠き部を設け、ステップＢ２で横梁に新規桁受ブラケットを設け、ステップＢ３で横梁に端横桁ジャッキアップ用受台を設け、ステップＢ４でアウトリガーと仮設横桁を設け、ステップＢ５で横梁にジャッキアップ用受台を設けた状態を示すもので、（イ）は概略平面図、（ロ）は（イ）のＪ−Ｊ方向矢視図、（ハ）は（イ）のＫ−Ｋ方向矢視図である。
【図２４】図２２の方法のステップＢ６で各アウトリガーと既設の一方の端横桁をジャッキアップした状態を示すもので、（イ）は概略平面図、（ロ）は（イ）のＬ−Ｌ方向矢視図である。
【図２５】図２２の方法における図２４のジャッキアップの後の手順を示すもので、（イ）はステップＢ７で既設の橋幅方向両側の桁受ブラケットと支承を撤去した状態を、（ロ）はステップＢ８で既設の他方の端横桁を撤去した状態を、（ハ）はステップＢ９で新設の他方の端横桁を取り付けた状態を、それぞれ示す図２４（ロ）に対応する図である。
【図２６】図２２の方法における図２５（ハ）の後の手順を示すもので、（イ）はステップＢ１０で第１の端横桁ジャッキアップ用受台上のジャッキより第２の端横桁ジャッキアップ用受台上のジャッキに荷重を受替えた状態を、（ロ）はステップＢ１１で既設の一方の端横桁を受けていたジャッキを撤去した状態をそれぞれ示す図２４（ロ）に対応する図である。
【図２７】図２２の方法における図２６（ロ）の後の手順を示すもので、（イ）はステップＢ１２で既設の一方の端横桁を撤去した状態を、（ロ）はステップＢ１３で新設の一方の端横桁を取り付けた状態をそれぞれ示す図２４（ロ）に対応する図である。
【図２８】図２２の方法のステップＢ１４で中主桁に対応する桁受ブラケット上の既設の支承を撤去し、該桁受ブラケットを補強した状態を示す概略切断側面図である。
【図２９】図２２の方法のステップＢ１５で新たな支承を設けてから各アウトリガーと新設の他方の端横桁をジャッキダウンする状態を示すもので、（イ）は概略平面図、（ロ）は（イ）のＭ−Ｍ方向矢視図である。
【図３０】図２２の方法のステップＢ１６で端横桁ジャッキアップ用受台、アウトリガー、仮設横桁、ジャッキを撤去した後の状態を示すもので、（イ）は概略平面図、（ロ）は（イ）のＮ−Ｎ方向矢視図、（ハ）は（イ）のＯ−Ｏ方向矢視図である。
【図３１】本発明の実施の更に他の形態を示す手順のフロー図である。
【図３２】図３１の方法にて、図２７（ロ）に示したと同様のステップＢ１３の後の手順を示すもので、（イ）はステップＢ１７で既設の中主桁支持用の桁受ブラケットを撤去した状態を、（ロ）はステップＢ１８で中主桁支持用の新規桁受ブラケットを設けた状態を、それぞれ示す図２７（ロ）に対応する図である。
【図３３】図３１の方法にてステップＢ１９で新たな支承を設けてから各アウトリガーと新設の他方の端横桁をジャッキダウンする状態を示すもので、（イ）は概略平面図、（ロ）は（イ）のＰ−Ｐ方向矢視図である。
【図３４】図３１の方法のステップＢ２０でアウトリガー、仮設横桁、ジャッキを撤去した後の状態を示すもので、（イ）は概略平面図、（ロ）は（イ）のＱ−Ｑ方向矢視図である。
【図３５】従来首都高速道路等で用いられている３主Ｉ桁橋の一例の概略を示すもので、（イ）は概略平面図、（ロ）は（イ）のＲ−Ｒ方向矢視図、（ハ）は（イ）のＳ−Ｓ方向矢視図である。
【図３６】図３５の３主Ｉ桁橋における主桁の支持構造部分を拡大して示す斜視図である。
【図３７】従来行われている主桁フルウェブ化工事にて鋼製橋脚の横梁の下方に増設横梁を設けた状態を示すもので、（イ）は概略平面図、（ロ）は（イ）のＴ−Ｔ方向矢視図である。
【図３８】主桁フルウェブ化工事にて各主桁をジャッキアップした状態を示すもので、（イ）は概略平面図、（ロ）は（イ）のＵ−Ｕ方向矢視図、（ハ）は（イ）のＶ−Ｖ方向矢視図である。
【図３９】主桁フルウェブ化工事にて中主桁をフルウェブ化した後、新規支承の上側に各主桁を載置した状態を示すもので、（イ）は概略平面図、（ロ）は（イ）のＷ−Ｗ方向矢視図、（ハ）は（イ）のＸ−Ｘ方向矢視図である。
【発明を実施するための形態】
【００２４】
以下、本発明を実施するための形態を図面を参照して説明する。
【００２５】
図１乃至図１４は本発明の横桁取替方法の実施の一形態を示すもので、図１にフローを示す如き手順としてある。
【００２６】
すなわち、図３５（イ）（ロ）（ハ）及び図３６に示したと同様に、桁端がフルウェブの外主桁４，６と、桁端に切欠き部７を有する中主桁５とを備え、且つ隣接する主桁４と５及び主桁５と６の桁端縁部同士を橋幅方向の端横桁８ａ，８ｂで接続して、鋼製橋脚１の横梁３における橋軸方向面に突設した桁受ブラケット９ａ，９ｂ，９ｃに、上記中主桁５の切欠き部７の上側の桁端、及び、上記各端横桁８ａ，８ｂの橋幅方向外側端部寄り個所を、支承１０を介してそれぞれ支持させるようにしてなる構成のＩ桁橋における上記各外主桁４，６の桁端の直下に、図２（イ）（ロ）に示す如く、外主桁ジャッキアップ用受台１７を設置する（ステップＡ１：ＳＡ１）。
【００２７】
上記ステップＡ１（ＳＡ１）は、具体的には、先ず、上記各外主桁４，６の桁端下部に切欠き部１８をそれぞれ設け（ステップＡ１ａ：ＳＡ１ａ）、上記鋼製橋脚１の横梁３の各橋軸方向面における上記各外主桁４，６とそれぞれ対応する橋幅方向の所要個所の下部位置に、上記各主桁４，６の桁端に設けた切欠き部１８の内側で橋軸方向に突出する外主桁ジャッキアップ用受台１７を設けるようにする（ステップＡ１ｂ：ＳＡ１ｂ）。
【００２８】
又、図２（イ）（ハ）に示す如く、上記横梁３の各橋軸方向面における上記既設の各端横桁８ａ，８ｂのうちのいずれか片方、たとえば、一方の外主桁４と中主桁５の桁端縁部同士を接続している端横桁８ａの橋幅方向内側端部寄りと対応する個所の下部位置に、第１の端横桁ジャッキアップ用受台１９ａを、上記一方の端横桁８ａの下方位置まで突出させて設ける（ステップＡ２：ＳＡ２）。
【００２９】
次に、図３（イ）（ロ）に示すように、上記各外主桁ジャッキアップ用受台１７の上にジャッキ２０ａ，２０ｂを、又、上記第１の端横桁ジャッキアップ用受台１９ａの上にジャッキ２０ｃをそれぞれ設置して、該各ジャッキ２０ａ，２０ｂ，２０ｃにより、それぞれの上方に位置している各外主桁４，６及び上記一方の端横桁８ａを同時にジャッキアップさせる（ステップＡ３：ＳＡ３）。これにより、上記各主桁４，５，６の荷重は、上記各外主桁４，６の桁端より各ジャッキ２０ａ，２０ｂと各外主桁ジャッキアップ用受台１７を介して、又、上記一方の端横桁８ａよりジャッキ２０ｃと第１の端横桁ジャッキアップ用受台１９ａを介して、それぞれ上記鋼製橋脚１の横梁３に伝えられて支持されるようになる。よって、上記既設の各端横桁８ａ，８ｂのうち、他方の端横桁８ｂには、上記各主桁４，５，６の荷重が作用しなくなるため、この状態で、図４（イ）に示すように、上記他方の端横桁８ｂの長手方向両端部を、中主桁５と他方の外主桁６よりそれぞれ切り離すことで撤去する（ステップ４Ａ：ＳＡ４）。
【００３０】
次いで、上記中主桁５と他方の外主桁６の桁端縁部における上記既設の他方の端横桁８ｂの撤去部分に必要に応じて補強を行ってから、図４（ロ）に示すように、上記中主桁５と他方の外主桁６の各切欠き部７，１８の上側の桁端縁部同士の間に、橋幅方向に延びる新設の他方の端横桁２１ｂを一体に取り付ける（ステップＡ５：ＳＡ５）。
【００３１】
上記のようにして既設の他方の端横桁８ｂが新設の他方の端横桁２１ｂに取り替えられた後は、図５（イ）（ロ）に示すように、上記横梁３の各橋軸方向面における上記新設の他方の端横桁２１ｂの橋幅方向内側端部寄りと対応する個所の下部位置に、第２の端横桁ジャッキアップ用受台１９ｂを、上記新設の他方の端横桁２１ｂの下方位置まで突出させて設ける（ステップＡ６：ＳＡ６）。
【００３２】
その後、図６（イ）に示すように、上記第２の端横桁ジャッキアップ用受台１９ｂの上に別のジャッキ２０ｄを設置して、該ジャッキ２０ｄにより上記新設の他方の端横桁２１ｂのジャッキアップを行う一方、上記既設の一方の端横桁８ａをジャッキアップしていた上記第１の端横桁ジャッキアップ用受台１９ａ上のジャッキ２０ｃをジャッキダウンする（ステップＡ７：ＳＡ７）。これにより、上記各主桁４，５，６の荷重が、上記各外主桁４，６より各ジャッキ２０ａ，２０ｂと各外主桁ジャッキアップ用受台１７を介して、又、上記既設の一方の端横桁８ａよりジャッキ２０ｃと第１の端横桁ジャッキアップ用受台１９ａを介してそれぞれ上記横梁３に伝えられて支持されていた状態から、該各主桁４，５，６の荷重が、上記各外主桁４，６より各ジャッキ２０ａ，２０ｂと各外主桁ジャッキアップ用受台１７を介して、又、上記新設の他方の端横桁２１ｂよりジャッキ２０ｄと第２の端横桁ジャッキアップ用受台１９ｂを介して、それぞれ上記横梁３に伝えられて支持される状態に受替えられるようになる。よって、上記既設の一方の端横桁８ａには、上記各主桁４，５，６の荷重が作用しなくなるため、この状態で、図６（ロ）に示すように、上記一方の端横桁８ａの長手方向両端部を、一方の外主桁４と中主桁５よりそれぞれ切り離すことで撤去する（ステップＡ８：ＳＡ８）。
【００３３】
次いで、上記外主桁４と中主桁５の桁端縁部における上記既設の一方の端横桁８ａの撤去部分に必要に応じて補強を行ってから、図６（ハ）に示すように、上記一方の外主桁４と中主桁５の切欠き部１８，７の上側の桁端縁部同士の間に、橋幅方向に延びる新設の一方の端横桁２１ａを一体に取り付ける（ステップＡ９：ＳＡ９）。
【００３４】
なお、上記ステップＡ３（ＳＡ３）におけるジャッキアップ操作の後、上記ステップＡ９（ＳＡ９）までの間は、上記既設の各桁受ブラケット９ａ，９ｂ，９ｃ及びその上側の既設の各支承１０には、各主桁４，５，６の荷重が作用しない。このため、このステップＡ３（ＳＡ３）の後でステップ９（ＳＡ９）までの間の任意の時点で、必要に応じて上記既設の各桁受ブラケット９ａ，９ｂ，９ｃの図示しない補修や補強を行うと共に、該既設の各桁受ブラケット９ａ，９ｂ，９ｃ上の既設の各支承１０を、新規の支承１６に取り替えるようにして、支承１０の新規支承１６への取り替えによる機能回復と、支承周りの補強を行うようにすればよい。
【００３５】
上記ステップＡ９（ＳＡ９）までの手順を終えることで既設の各端横桁８ａ，８ｂが新設の各端横桁２１ａ，２１ｂに取り替えられた後は、図７（イ）（ロ）に示すように、上記各外主桁ジャッキアップ用受台１７上の各ジャッキ２０ａ，２０ｂと、上記第２の端横桁ジャッキアップ用受台１９ｂ上の各ジャッキ２０ｃをジャッキダウンさせることで、上記新設の一方と他方の各端横桁２１ａ及び２１ｂと、中主桁５の桁端部を、それぞれ対応する桁受ブラケット９ａ及び９ｃと桁受ブラケット９ｂ上に設けた新規支承１６上に載置して支持させる（ステップＡ１０：ＳＡ１０）。しかる後、図７（ロ）に二点鎖線で示すように上記各ジャッキ２０ａ，２０ｂ，２０ｃ，２０ｄと、上記鋼製橋脚１の横梁３の橋軸方向面に設けてある上記各端横桁ジャッキアップ用受台１９ａ，１９ｂ及び各外主桁ジャッキアップ用受台１７をそれぞれ撤去して（ステップＡ１１：ＳＡ１１）、端横桁取替作業を終了する。
【００３６】
上記ステップＡ１ａ（ＳＡ１ａ）の手順にて、各外主桁４，６のフルウェブとなっている桁端の下部に切欠き部１８を新たに設ける場合は、該切欠き部１８を設けることで形成される桁端寄りの桁高急変部に掛かる各外主桁４，６の荷重に耐え得る剛性を確保できるようにするために、上記新設する切欠き部１８の周りとなる上記各外主桁４，６の桁端部付近を補強する必要がある。この点に鑑みて、本発明では、以下の図８（イ）（ロ）及び図９（イ）（ロ）に示す手順で上記各外主桁４，６に設ける切欠き部１８の周りを補強するようにしてある。
【００３７】
すなわち、先ず、図８（イ）に示す如く、上記各外主桁４，６の桁端部付近の橋幅方向の外側面に、各主桁４，６の桁端下部に形成すべき切欠き部１８の形状に応じた切欠き部１８ａを有し、且つ該切欠き部１８ａに沿って下フランジ２３ａを備えた外主桁外側補強材２２を一体に取り付けるようにしてある。
【００３８】
次に、図８（ロ）に示す如く、上記各外主桁４，６の橋幅方向内側面の桁端部付近における各端横桁８ａ，８ｂよりも反横梁３側の領域に取り付けられているリブ状の既設補剛材２４を切断して撤去し、該既設補剛材２４の切断面をグラインダー等により平坦にした後、図９（イ）に示す如く、上記各外主桁４，６の橋幅方向内側面の桁端部付近における各端横桁８ａ，８ｂよりも反横梁３側の領域に、上記各外主桁４，６の桁端下部に形成すべき切欠き部１８の形状に応じた切欠き部１８ｂを有し、且つ該切欠き部１８ｂに沿って下フランジ２３ｂを備えた外主桁内側補強材２５を一体に取り付けるようにする。
【００３９】
次いで、図９（ロ）に示すように、上記各外主桁４，６（図９（ロ）では他方の外主桁６についてのみ示してある）の桁端におけるウェブの下部を、上記外主桁４，６用の外側補強材２２と内側補強材２５の切欠き部１８ａ，１８ｂの形状に沿って切断して、該各外主桁４，６の桁端に、上記各補強材２２，２５により補強され且つ下フランジ２３ａ，２３ｂを備えた切欠き部１８を形成するようにしてある。
【００４０】
更に、上記ステップＡ４（ＳＡ４）で、上記他方の外主桁６の橋幅方向内側面に取り付けてあった既設の他方の端横桁８ｂを撤去した状態のときに（図４（イ）参照）、図１０に示す如く、上記他方の外主桁６の橋幅方向内側面における上記既設の他方の端横桁８ｂの撤去部分から桁端までの領域に、上記新たに形成した切欠き部１８の上側に沿う下フランジ２３ｃを備えた外主桁内側桁端補強材２６を、その反横梁３側の端縁部を上記外主桁内側補強材２５の横梁３側端縁部に所要寸法重ねて配置した状態で、フィラープレート２７を介して一体に取り付けるようにする。又、図示してないが、上記一方の外主桁４についても同様に、上記ステップＡ８（ＳＡ８）で、上記一方の外主桁４の橋幅方向内側面に取り付けてある既設の一方の端横桁８ａを撤去した状態のときに（図６（ロ）参照）、上記一方の外主桁４の橋幅方向内側面における上記既設の一方の端横桁８ａの撤去部分から桁端までの領域に、上記新たに形成した切欠き部１８の上側に沿う下フランジ２３を備えた外主桁内側桁端補強材２６を、フィラープレート２７を介して一体に取り付けるようにすればよい。
【００４１】
上記ステップＡ３（ＳＡ３）にて横梁３の橋軸方向面に設けた第１の端横桁ジャッキアップ用受台１９ａ上に設置したジャッキ２０ｃにより既設の一方の端横桁８ａをジャッキアップさせるときには、予め、上記既設の一方の端横桁８ａにおけるジャッキアップ個所のウェブと下フランジに図３（ロ）に示す如きリブ状の補強部材２８を取り付け、該ジャッキアップ個所の下フランジの下側に図示しない補強部材を取り付けて、上記既設の一方の端横桁８ａのジャッキアップ個所を補強するようにしてある。
【００４２】
又、上記ステップＡ５（ＳＡ５）の手順で中主桁５と他方の外主桁６の桁端縁部同士の間に取り付ける新設の他方の端横桁２１ｂは、後の工程であるステップＡ７（ＳＡ７）ので第２の端横桁ジャッキアップ用受台１９ｂ上に設置するジャッキ２０ｄにより該新設の他方の端横桁２１ｂをジャッキアップさせるときに作用する応力を考慮して、予めジャッキアップ個所が補強してあるものとする。
【００４３】
又、本発明では、上記中主桁５の既存の切欠き部７の周りに疲労による損傷が生じている場合であっても支承周りを補強できるようにするために、図１１（イ）（ロ）乃至図１４に示す手順で、上記中主桁５の桁端も補強するようにしてある。
【００４４】
具体的には、図１１（イ）に示すように、先ず、上記中主桁５の橋幅方向の一側面の桁端部付近における一方の端横桁８ａよりも反横梁３側の領域に取り付けられているリブ状の既設補剛材２９ａを切断して撤去し、該既設補剛材２９ａの切断面をグラインダー等により平坦にした後、図１１（ロ）に示す如く、上記中主桁５の橋幅方向一側面の桁端部付近における上記一方の端横桁８ａよりも反横梁３側の領域に、上記中主桁５の既存の切欠き部７よりも一回り大きな切欠き部３１ａを有し、且つ該切欠き部３１ａの周りに下フランジ３２ａを備えた第１の中主桁補強材３０ａを一体に取り付けるようにする。
【００４５】
次に、上記中主桁５の橋幅方向の他側面の桁端部付近における他方の端横桁８ｂよりも反横梁３側の領域についても、上記と同様に、図１２（イ）に示す如く、リブ状の既設補剛材２９ｂを切断して撤去し、該既設補剛材２９ｂの切断面をグラインダー等により平坦にした後、図１２（ロ）に示す如く、上記中主桁５の橋幅方向他側面の桁端部付近における上記他方の端横桁８ｂよりも反横梁３側の領域に、上記中主桁５の既存の切欠き部７よりも一回り大きな切欠き部３１ｂを有し、且つ該切欠き部３１ｂの周りに下フランジ３２ｂを備えた第２の中主桁補強材３０ｂを一体に取り付けるようにする。
【００４６】
次いで、上記ステップＡ４（ＳＡ４）とステップＡ８（ＳＡ８）で上記中主桁５の橋幅方向両側面に取り付けてあった上記既設の他方の端横桁８ｂと既設の一方の端横桁８ａを順次撤去した状態のときに、図１３に示す如く、上記中主桁５の橋幅方向両側面における上記既設の他方の端横桁８ｂの撤去部分より桁端までの領域と、既設の一方の端横桁８ａの撤去部分より桁端までの領域に、上記各中主桁補強材３０ｂと３０ａの下フランジ３２ｂと３２ａと対応する下フランジ３２ｄと３２ｃをそれぞれ備えた中主桁桁端補強材３３ｂと３３ａを、その反横梁３側の端縁部を上記各中主桁補強材３０ｂと３０ａの横梁３側端縁部に所要寸法重ねて配置した状態で、フィラープレート３４を介在させて順次一体に取り付けるようにする。
【００４７】
その後、図１４に示すように、上記各中主桁補強材３０ａ，３０ｂの切欠き部３１ａ，３１ｂ（図１１（ロ）及び図１２（ロ）参照）の周りの下フランジ３２ａ，３２ｂと、上記各中主桁桁端補強材３３ａ，３３ｂの下フランジ３２ｃ，３２ｄに沿う位置で、該中主桁５の桁端下部の既設の切欠き部７の周りのウェブを切断して、中主桁５の桁端に、上記中主桁５用の各補強材３０ａ，３０ｂ及び各桁端補強材３３ａ，３３ｂにより周りが強固に補強され、且つ下フランジ３２ａ，３２ｂ，３２ｃ，３２ｄを備えた新たな切欠き部７ａを形成できるようにしてある。なお、上記のようにして中主桁５の桁端に既設の切欠き部７よりも一回り大きな新たな切欠き部７ａを形成すると、該中主桁５の桁端における桁高が、当初の桁高よりも小さくなる。よって、その桁高の減少分は、上記新たに形成した切欠き部７ａを有する中主桁５の桁端を受ける上記新規支承１６の厚み寸法を、当初の支承１０の厚み寸法よりも厚く設定するか、あるいは図示しないソールプレートの厚み寸法を厚くすることで、上記中主桁５の上端の高さ位置が変化しないようにしてあるものとする。
【００４８】
上記のようにステップＡ４（ＳＡ４）とステップＡ８（ＳＡ８）で上記既設の各端横桁８ｂと８ａを順次撤去した状態のときに、各外主桁４，６の桁端の橋幅方向の内側面に上記外主桁内側桁端補強材２６を設け、上記中主桁５の桁端の橋幅方向の両側面に中主桁桁端補強材３３ａ，３３ｂを一体に取り付ける場合は、上記ステップＡ５（ＳＡ５）及びステップＡ９（ＳＡ９）で既設の各端横桁８ｂと８ａと取り替える新設の各端横桁２１ａ，２１ｂを設ける際に、該各新たな端横桁２１ａ，２１ｂの両端部を、上記外主桁４，６の内側面用と中主桁５用の各桁端補強材２６と３３ａ，３３ｂにそれぞれ取り付けるようにしてある。
【００４９】
このように、本発明の横桁取替方法によれば、鋼製橋脚１の横梁３に仮設する外主桁用と端横桁用のジャッキアップ用受台１７及び１９ａ，１９ｂ上に設置するジャッキ２０ａ，２０ｂ，２０ｃ，２０ｄのうちの所定のジャッキ２０ａ，２０ｂ，２０ｃにより各外主桁４，６と、既設の端横桁８ａ，８ｂのうちの片方、たとえば、既設の一方の端横桁８ａを先行してジャッキアップさせることにより、既設の他方の端横桁８ｂに主桁４，５，６の荷重がかからないようにした状態で該既設の他方の端横桁８ｂを、新設の他方の端横桁２１ｂに取り替え、その後、上記各主桁４，５，６の荷重を、上記各外主桁４，６をジャッキアップした状態の各ジャッキ２０ａ，２０ｂと、上記新設の他方の端横桁２１ｂをジャッキアップさせたジャッキ２０ｄに受替えることで、上記既設の一方の端横桁８ａに主桁４，５，６の荷重が掛からないようにした状態で、該既設の一方の端横桁８ａを、新設の一方の端横桁２１ａに取り替えることができるため、鋼製橋脚１の既設の横梁３の下側に増設横梁を取り付けるための上下方向のスペースが確保できないために主桁フルウェブ化工事を適用できないＩ桁橋においても、上記既設の各端横桁８ａ，８ｂの新設の各端横桁２１ａ，２１ｂへの取替作業を確実に実施することができる。
【００５０】
更に、上記各桁受ブラケット９ａ，９ｂ，９ｃの補修、補強や、その上側の既設の支承１０の新規支承１６への取り替えを行うことが可能になるため、支承１０の新規支承１６への取り替えによる機能回復と、支承周りの補強を行うことが可能になる。
【００５１】
次に、図１５乃至図２１（イ）（ロ）（ハ）は本発明の実施の他の形態として、図１乃至図１４の実施の形態の応用例を示すもので、既設の各端横桁８ａ，８ｂの新設の各端横桁２１ａ，２１ｂへの取り替えを行った後、該新設の各端横桁２１ａ，２１ｂと中主桁５の桁端とを、横梁３の各橋軸方向面に設置してある既設の桁受ブラケット９ａ，９ｃと桁受ブラケット９ｂに新規支承１６を介してそれぞれ支持させるようにする構成に代えて、既設の各端横桁８ａ，８ｂの新設の各端横桁２１ａ，２１ｂへの取り替えを行った後、各外主桁４，６の切欠き部１８を設けた桁端と、上記中主桁５の桁端とを、横梁３の各橋軸方向面に新設する外主桁４，６用の支点用ブラケット３５と、中主桁用の既設の桁受ブラケット９ｂに、新規支承１６を介してそれぞれ支持させるようにしたものである。
【００５２】
図１５は手順のフローを示すもので、図１に示したステップＡ１（ＳＡ１）からステップＡ９（ＳＡ９）までと同様の手順において、ステップＡ３（ＳＡ３）におけるジャッキアップ操作によって既設の各桁受ブラケット９ａ，９ｃと、その上の既設の各支承１０に各主桁４，５，６の荷重が掛からない状態となる上記ステップＡ３（ＳＡ３）より後の所要の時点で、既設の各端横桁８ａ，８ｂの支持に用いられていた既設の各桁受ブラケット９ａ，９ｃと、その上の既設の支承１０をそれぞれ撤去する。
【００５３】
すなわち、たとえば、ステップＡ４（ＳＡ４）における既設の他方の端横桁８ｂの撤去に続いて、図１６に示すように、該既設の他方の端横桁８ｂに対応する既設の桁受ブラケット９ｃとその上側の既設の支承１０を撤去しておくようにする（ステップＡ４ａ：ＳＡ４ａ）。又、ステップＡ８（ＳＡ８）における既設の一方の端横桁８ａの撤去に続いて、図１７に示すように、該既設の一方の端横桁８ａに対応する既設の桁受ブラケット９ａとその上側の既設の支承１０を撤去しておくようにする（ステップＡ８ａ：ＳＡ８ａ）。
【００５４】
その後、上記ステップＡ９（ＳＡ９）までの手順を進めることにより、既設の各端横桁８ａ，８ｂが新設の各端横桁２１ａ，２１ｂに取り替えられた後は、図１８（イ）に示すように、鋼製橋脚１の横梁３に設けてある第１の端横桁ジャッキアップ用受台１９ａ上に設置してあるジャッキ２０ｃにより、新設の一方の端横桁２１ａのジャッキアップを行う一方、各外主桁４，６をジャッキアップしていた各主桁用ジャッキアップ用受台１７上のジャッキ２０ａ，２０ｂをジャッキダウンする（ステップＡ１２：ＳＡ１２）。これにより、上記各主桁４，５，６の荷重が、各外主桁４，６より各ジャッキ２０ａ，２０ｂと各外主桁ジャッキアップ用受台１７を介して、又、上記新設の他方の端横桁２１ｂよりジャッキ２０ｄと第２の端横桁ジャッキアップ用受台１９ｂを介して、それぞれ上記横梁３に伝えられて支持されていた状態から、該各主桁４，５，６の荷重が、上記新設の各端横桁２１ａ，２１ｂよりそれぞれ対応する各ジャッキ２０ｃ、２０ｄと第１と第２の各端横桁ジャッキアップ用受台１９ａ，１９ｂを介して上記横梁３に伝えられて支持される状態に受替えられるようになる。よって、上記各外主桁用ジャッキアップ用受台１７及びその上の各ジャッキ２０ａ，２０ｂには上記各主桁４，５，６の荷重が作用しなくなるため、この状態で、図１８（ロ）に示すように、上記横梁３の各橋軸方向面より上記各外主桁用ジャッキアップ用受台１７及びその上の各ジャッキ２０ａ，２０ｂを撤去する（ステップＡ１３：ＳＡ１３）。
【００５５】
その後、上記のようにして各外主桁用ジャッキアップ用受台１７とジャッキ２０ａ，２０ｂ、及び、既設の端横桁８ａ，８ｂにそれぞれ対応していた既設の桁受ブラケット９ａ，９ｃと既設の支承１０が撤去された状態で、図１９（イ）（ロ）に示すように、上記鋼製橋脚１の横梁３の各橋軸方向面における上記各外主桁４，６の切欠き部１８を設けた桁端の直下となる位置に、外主桁４，６用の支点用ブラケット３５をそれぞれ取り付け、その上側に新規支承１６を設置する（ステップＡ１４：ＳＡ１４）。更に、この際、中主桁５の桁端には、図１１乃至図１４に示したと同様の手順で補修、補強を施して新たな切欠き部７ａを形成しておくようにすると共に、該中主桁５に対応する既設の桁受ブラケット９ｂに後述する所要の補強を施し、該桁受ブラケット９ｂ上の支承１０の新規支承１６への取り替えを行うようにする。
【００５６】
その後、図２０に示すように、上記新設の各端横桁２１ａ，２１ｂをジャッキアップしている各ジャッキ２０ｃ，２０ｄをジャッキダウンさせることで、上記各外主桁４，６の桁端を、上記横梁３に新設した各支点用ブラケット３５上の新規支承１６の上に載置して支持させると共に、中主桁５の桁端を、補強後の桁受ブラケット９ｂ上の新規支承１６の上に載置して支持させるようにする（ステップＡ１５：ＳＡ１５）。
【００５７】
しかる後、上記各端横桁ジャッキアップ用受台１９ａ，１９ｂとその上のジャッキ２０ｃ、２０ｄをそれぞれ撤去して（ステップＡ１６：ＳＡ１６）、端横桁取替作業、及び、支承取替作業を終了する。これにより、図２１（イ）（ロ）（ハ）に示すように、各主桁４と５及び各主桁５と６の桁端縁部同士が取り替えられた新設の端横桁２１ａ，２１ｂにより連結され、且つ上記各外主桁４，６の新たに切欠き部１８を設けた桁端を、鋼製橋脚１の横梁３の橋軸方向面における下部所要個所に設けた支点用ブラケット３５の上側に新規支承１６を介してそれぞれ支持させ、且つ上記中主桁５の補強された切欠き部７ａが設けてある桁端を、上記補強した桁受ブラケット９ｂの上側に新規支承１６を介して支持させ、更に、既設の端横桁８ａ，８ｂを支持していた既設の各桁受ブラケット９ａ，９ｃが撤去された構成を有するＩ桁橋が形成されるようになる。
【００５８】
上記ステップＡ１４（ＳＡ１４）にて、鋼製橋脚１の横梁３の各橋軸方向面に各外主桁４，６用の支点用ブラケット３５を設ける場合は、図１９（ロ）に示す如く、上記横梁３の各橋軸方向面の下部所定個所に、上記各支点用ブラケット３５を、それぞれ下端側が上記横梁３の下方へ所要寸法突出するように配置して取り付けると共に、該各外主桁用支点用ブラケット３５の下端突出部の横梁３を挟んで橋軸方向に対応するもの同士の間に、上記横梁３の下側を通って橋軸方向に延びる連結部材３６を配置し、該連結部材３６の長手方向両端部を上記各支点用ブラケット３５の下端突出部にそれぞれ一体に取り付けると共に、該連結部材３６の上端部を上記横梁３の下フランジの下側に一体に取り付けるようにしてある。更に、上記横梁３の各橋軸方向面における上記各支点用ブラケット３５の取付個所の内側となる該横梁３のウェブ内面の所要個所同士の間に、横梁３内で橋軸方向に延びる横梁内部補強材３７を配置して、その長手方向両端部を上記横梁３のウェブ内面の所要個所にそれぞれ一体に取り付けると共に、該横梁内部補強材３７の下端部を、上記横梁３の下フランジの上面に一体に取り付けることで、支承周りとなる上記横梁３における上記各支点用ブラケット３５の設置個所を補強することができるようにしてある。
【００５９】
上記中主桁５の桁端を支持するために鋼製橋脚１の横梁３の各橋軸方向面に設けてある既設の桁受ブラケット９ｂを補強する場合は、たとえば、図１９（ハ）に示す如く、上記横梁３の橋軸方向の両面に設けてある各桁受ブラケット９ｂの下側に、上記横梁３の下フランジの下側を通して一連に延びる桁受ブラケット補強部材３８を配置すると共に、該桁受ブラケット補強部材３８の上端部を、上記橋幅方向中央の各桁受ブラケット９ｂの下側及び上記横梁３の下フランジの下面に一体に取り付けて、上記各桁受ブラケット９ｂの補強を行うようにしてある。
【００６０】
その他、図１乃至図１４に示したものと同一のものには同一符号が付してある。
【００６１】
このように、本実施の形態によれば、上記実施の形態と同様の効果を得ることができ、更に、各外主桁４，６の桁端を、鋼製橋脚１の横梁３の橋軸方向面に新設する各支点用ブラケット３５に上記新規支承１６を介して支持させることができると共に、中主桁５の桁端を補強した桁受ブラケット９ｂに新規支承１６を介して支持させることができるため、各主桁４，５，６の荷重を支持する支承１０の新規支承１６への取り替えを行うことで機能回復を図ることができると共に、支承周りの補強を実施することが可能になる。
【００６２】
図２２乃至図３０（イ）（ロ）（ハ）は本発明の実施の更に他の形態を示すもので、図２２にフローを示す如き手順としてある。
【００６３】
すなわち、図３５（イ）（ロ）（ハ）及び図３６に示したと同様に、桁端がフルウェブの外主桁４，６と、桁端に切欠き部７を有する中主桁５とを備えて、鋼製橋脚１の横梁３における橋軸方向面に突設した桁受ブラケット９ａ，９ｂ，９ｃに、上記中主桁５の切欠き部７の上側の桁端、及び、上記中主桁５と各外主桁４，６の桁端縁部同士を接続する端横桁８ａ，８ｂの橋幅方向外側端部寄り個所を、支承１０を介してそれぞれ支持させるようにしてなる構成のＩ桁橋における上記各外主桁４，６の桁端の下部に、図２３（イ）（ロ）に示す如く、切欠き部１８をそれぞれ設ける（ステップＢ１：ＳＢ１）。なお、該各外主桁４，６の桁端に切欠き部１８を設ける場合は、図８乃至図１０に示したと同様の手順で行うようにすればよい。
【００６４】
次に、鋼製橋脚１の横梁３の各橋軸方向面における上記各外主桁４，６の桁端の直下となる所要個所に、上記各外主桁４，６に設けた切欠き部１８の内側で橋軸方向に突出する新規桁受ブラケット３９をそれぞれ設ける（ステップＢ２：ＳＢ２）。なお、上記横梁における上記新規桁受ブラケット３９の取り付け個所は、図１９に示した横梁３の支点用ブラケット３５の取り付け個所と同様に、連結部材３６と横梁内部補強材３７で補強するようにしてあるものとする。
【００６５】
又、図２３（イ）（ハ）に示す如く、上記横梁３の各橋軸方向面における上記既設の各端横桁８ａ，８ｂの橋幅方向内側端部寄り個所と対応する個所の下部位置に、図２（イ）（ロ）（ハ）に示した第１の端横桁ジャッキアップ用受台１９ａ及び図５（イ）（ロ）に示した第２の端横桁ジャッキアップ用受台１９ｂと同様の端横桁ジャッキアップ用受台１９ａ及び１９ｂを、上記各端横桁８ａ，８ｂの下方位置まで突出させてそれぞれ設ける（ステップＢ３：ＳＢ３）。
【００６６】
更に、図２３（イ）（ロ）に二点鎖線で示すように、上記各外主桁４，６における桁端より所要寸法離れた個所の橋幅方向の外側面に、上記横梁３の近傍まで延びるアウトリガー４０をそれぞれ仮設する（ステップＢ４：ＳＢ４）。この際、上記外主桁４，６における上記アウトリガー４０の取り付け個所を補強するために、図２３（イ）（ハ）に二点鎖線で示すように、上記各外主桁４，６の桁端より所要寸法離れた個所の橋幅方向の内側面と、上記中主桁５の桁端より所要寸法離れた個所の橋幅方向両側面との間に、それぞれ橋幅方向に延びる仮設横桁４１を配置して、該各仮設横桁４１の両端部を、上記各外主桁４，６の橋幅方向内側面と、上記中主桁５の橋幅方向の両側面にそれぞれ取り付けておくようにする。
【００６７】
一方、上記横梁３の各橋軸方向面における上記各アウトリガー４０と対応する橋幅方向両端寄り所要個所の下部位置には、上記各アウトリガー４０の下方位置まで突出するジャッキアップ用受台４２を、たとえば、上記新規桁受ブラケット３９と一体物として設ける（ステップＢ５：ＳＢ５）。
【００６８】
その後、図２４（イ）（ロ）に示す如く、上記各アウトリガー４０の下方に位置する各ジャッキアップ用受台４２と、上記既設の一方の端横桁８ａの下方に位置する第１の端横桁ジャッキアップ用受台１９ａに、それぞれジャッキ４３ａ，４３ｂとジャッキ４３ｃをそれぞれ設置して、該各ジャッキ４３ａ，４３ｂ，４３ｃにより、その上方の上記各アウトリガー４０及び上記既設の一方の端横桁８ａを介して上記各主桁４，５，６を同時にジャッキアップする（ステップＢ６：ＳＢ６）。これにより、上記各主桁４，５，６の荷重は、上記各アウトリガー４０より上記各ジャッキ４３ａ，４３ｂと各ジャッキアップ用受台４２を介して、又、上記既設の一方の端横桁８ａより上記ジャッキ４３ｃと第１の端横桁ジャッキアップ用受台１９ａを介して、それぞれ上記鋼製橋脚１の横梁３に伝えられて支持されるようになる。よって、既設の他方の端横桁８ｂ、及び、既設の各桁受ブラケット９ａ，９ｂ，９ｃとその上の支承１０には上記各主桁４，５，６からの荷重が作用しなくなるため、この状態で、図２５（イ）に示す如く、各既設の端横桁８ａ，８ｂの支持に用いられていた既設の各桁受ブラケット９ａ及び９ｃと、その上側の各支承１０を撤去する（ステップＢ７：ＳＢ７）。
【００６９】
次いで、図２５（ロ）に示すように、上記各主桁４，５，６の荷重が作用しなくなった状態の既設の他方の端横桁８ｂを、その長手方向両端部を中主桁５と他方の外主桁６よりそれぞれ切り離すことで撤去し（ステップＢ８：ＳＢ８）、その後、上記中主桁５及び他方の外主桁６における上記既設の他方の端横桁８ｂの撤去部分に、図１１（イ）（ロ）乃至図１４に示したと同様の手順や、図８（イ）（ロ）乃至図１０に示したと同様の手順による所要の補強を行ってから、図２５（ハ）に示すように、該中主桁５と他方の外主桁６の各切欠き部７，１８の上側の補強された桁端縁部同士の間に、橋幅方向に延びる新設の他方の端横桁２１ｂを一体に取り付ける（ステップＢ９：ＳＢ９）。
【００７０】
上記のようにして既設の他方の端横桁８ｂが新設の他方の端横桁２１ｂに取り替えられた後は、図２６（イ）に示すように、上記新設の他方の端横桁２１ｂの下方に位置する第２の端横桁ジャッキアップ用受台１９ｂ上に別のジャッキ４３ｄを設置して、該ジャッキ４３ｄにより上記新設の他方の端横桁２１ｂのジャッキアップを行う一方、上記既設の一方の端横桁８ａをジャッキアップしていた上記第１の端横桁ジャッキアップ用受台１９ａ上のジャッキ４３ｃをジャッキダウンする（ステップＢ１０：ＳＢ１０）。これにより、上記各主桁４，５，６の荷重が、各アウトリガー４０より各ジャッキ４３ａ，４３ｂと各ジャッキアップ用受台４２を介して、又、上記既設の一方の端横桁８ａよりジャッキ４３ｃと第１の端横桁ジャッキアップ用受台１９ａを介してそれぞれ上記横梁３に伝えられて支持されていた状態から、該各主桁４，５，６の荷重が、上記各アウトリガー４０より各ジャッキ４３ａ，４３ｂと各ジャッキアップ用受台４２を介して、又、上記新設の他方の端横桁２１ｂよりジャッキ４３ｄと第２の端横桁ジャッキアップ用受台１９ｂを介して、それぞれ上記横梁３に伝えられて支持される状態に受替えられるようになる。
【００７１】
よって、上記既設の一方の端横桁８ａ及び第１の端横桁ジャッキアップ用受台１９ａ上のジャッキ４３ｃには、上記各主桁４，５，６の荷重が作用しなくなるため、この状態で、図２６（ロ）に示すように、上記ジャッキ４３ｃを撤去する（ステップＢ１１：ＳＢ１１）。更に、図２７（イ）に示すように、上記各主桁４，５，６の荷重が作用しなくなった状態の既設の一方の端横桁８ａを、その長手方向両端部を一方の外主桁４と中主桁５よりそれぞれ切り離すことで撤去する（ステップＢ１２：ＳＢ１２）。
【００７２】
次いで、上記一方の外主桁４と中主桁５における上記既設の一方の端横桁８ａの撤去部分に、図１１（イ）（ロ）乃至図１４に示したと同様の手順や、図８（イ）（ロ）乃至図１０に示したと同様の手順による所要の補強を行ってから、図２７（ロ）に示すように、該一方の外主桁４と中主桁５の切欠き部１８，７の上側の補強された桁端縁部同士の間に、橋幅方向に延びる新設の一方の端横桁２１ａを一体に取り付ける（ステップＢ１３：ＳＢ１３）。
【００７３】
上記ステップＢ１３（ＳＢ１３）までの手順を終えることで既設の各端横桁８ａ，８ｂが各新設の端横桁２１ａ，２１ｂへ取り替えられた後は、図２８に示す如く、中主桁５支持用の各桁受ブラケット９ｂの上側に設置してある既設の支承１０を撤去すると共に、上記各桁受ブラケット９ｂの下側に、図１９（ハ）に示したと同様の桁受ブラケット補強部材３８を取り付けて、上記各桁受ブラケット９ｂの補強を行うようにする（ステップＢ１４：ＳＢ１４）。又、中主桁５の桁端を、図１１（イ）（ロ）乃至図１４に示したと同様の手順により補強すると共に、当初の切欠き部７より一回り大きな補強された切欠き部７ａを形成しておくようにする。
【００７４】
その後、図２９（イ）（ロ）に示すように、上記補強された中主桁５支持用の各桁受ブラケット９ｂの上側と、上記各新規桁受ブラケット３９の上側に、それぞれ新規の支承１６を設けた後、上記各アウトリガー４０と新設の他方の端横桁２１ｂをジャッキアップしている各ジャッキアップ用受台４２上のジャッキ４３ａ，４３ｂと第２の端横桁ジャッキアップ用受台１９ｂ上のジャッキ４３ｄをジャッキダウンすることで、上記各新規支承１６の上側に、上記中主桁５の切欠き部７ａの上側の桁端と、上記各外主桁４，６に新たに設けた切欠き部１８の上側の桁端をそれぞれ載置させて、上記中主桁５及び各外主桁４，６の荷重を、上記各新規支承１６と、上記補強された桁受ブラケット９ｂ及び上記各新規桁受ブラケット３９を介して上記鋼製橋脚１の横梁３に伝えて受けさせるようにする（ステップＢ１５：ＳＢ１５）。
【００７５】
上記のようにして各主桁４，５，６の荷重を、各新規支承１６、及び、桁受ブラケット９ｂ及び各新規桁受ブラケット３９を介して上記横梁３に支持させた後は、上記各端横桁ジャッキアップ用受台１９ａ，１９ｂ及び各アウトリガー４０及び各仮設横桁４１及び残りの各ジャッキ４３ａ，４３ｂ，４３ｄをそれぞれ撤去して（ステップＢ１６：ＳＢ１６）、端横桁取替作業、及び、支承取替作業を終了する。これにより、図３０（イ）（ロ）（ハ）に示すように、各主桁４と５及び各主桁５と６の桁端縁部同士が取り替えられた新設の端横桁２１ａ，２１ｂにより連結され、且つ上記各外主桁４，６の新たに切欠き部１８を設けた桁端を、鋼製橋脚１の横梁３の橋軸方向面における下部所要個所に設けた新規桁受ブラケット３９の上側に新規支承１６を介してそれぞれ支持させ、且つ上記中主桁５の補強された切欠き部７ａが設けてある桁端を、上記補強した桁受ブラケット９ｂの上側に新規支承１６を介して支持させ、更に、上記既設の各端横桁８ａ，８ｂを支持していた既設の各桁受ブラケット９ａ，９ｃが撤去された構成を有するＩ桁橋が形成されるようになる。
【００７６】
その他、図１６乃至図２１（イ）（ロ）（ハ）に示したものと同一のものには同一符号が付してある。
【００７７】
このように、本実施の形態によっても、図１乃至図１４の実施の形態と同様の効果を得ることができ、更に、各外主桁４，６の桁端を、鋼製橋脚１の横梁３の橋軸方向面に新設する各新規桁受ブラケット３９に新規支承１６を介して支持させることができると共に、中主桁５の桁端を補強した桁受ブラケット９ｂに新規支承１６を介して支持させることができるため、各主桁４，５，６の荷重を支持する支承１０の新規支承１６への取り替えを行うことで機能回復を図ることができると共に、支承周りの補強を実施することができる。
【００７８】
図１５乃至図２１（イ）（ロ）（ハ）の実施の形態、及び、図２２乃至図３０（イ）（ロ）（ハ）の実施の形態においては、いずれも、鋼製橋脚１の横梁３の各橋軸方向面に設けてある各桁受ブラケット９ａ，９ｂ，９ｃのうち、中主桁５に対応する既設の桁受ブラケット９ｂについて、桁受ブラケット補強部材３８による補強を施した後、該補強された既設の桁受ブラケット９ｂの上側に、別途補強された中主桁５の桁端を、新規支承１６を介して支持させるようにしてあるが、各外主桁４，６を直接又はアウトリガーを介してジャッキアップすると共に、一方の端横桁８ａをジャッキアップしたとき、又は、上記各外主桁４，６を上記と同様にジャッキアップした状態で且つ取り替えられた他方の新設の端横桁２１ｂをジャッキアップしたときに、上記各主桁４，５，６の荷重が作用しなくなっている状態の上記中主桁５に対応する既設の桁受ブラケット９ｂを、新規の桁受ブラケットに取り替えるようにしてもよい。
【００７９】
すなわち、図３１乃至図３４（イ）（ロ）は本発明の実施の更に他の形態として、上記したように中主桁５用の既設の桁受ブラケット９ｂの新規桁受ブラケットへの取り替えを実施する場合の適用例を示すもので、たとえば、図３１に手順のフローを示すように、図２２乃至図３０（イ）（ロ）（ハ）の実施の形態と同様の構成において、図２２のステップＢ１３（ＳＢ１３）までの手順を終えることで、図２５（ロ）（ハ）及び図２７（イ）（ロ）に示したように、既設の各端横桁８ａ，８ｂの新設の端横桁２１ａ，２１ｂへ取り替えを行った後、図３２（イ）に示す如く、各外主桁４，６に仮設したアウトリガー４０と他方の新設の端横桁２１ｂをジャッキアップした状態のままで、鋼製橋脚１の横梁３の各橋軸方向面に中主桁５に対応させて設けてある桁受ブラケット９ｂを撤去する（ステップＢ１７：ＳＢ１７）。
【００８０】
次いで、図３２（ロ）に示す如く、上記鋼製橋脚１の横梁３の各橋軸方向面における上記中主桁５用の既設の桁受ブラケット９ｂの撤去部分に、中主桁５用の新規の桁受ブラケット４４を設ける。この際、該中主桁５用の新規桁受ブラケット４４を補強するために、該新規桁受ブラケット４４を、第１及び第２の各端横桁ジャッキアップ用受台１９ａ，１９ｂに一体に取り付けるようにしてある（ステップＢ１８：ＳＢ１８）。
【００８１】
その後、図３３（イ）（ロ）に示す如く、上記新設された中主桁５支持用の新規桁受ブラケット４４の上側と、上記鋼製橋脚１の横梁３の各橋軸方向面に各外主桁４，６に対応させて設けてある各外主桁４，６支持用の新規桁受ブラケット３９の上側に、それぞれ新規の支承１６を設けた後、各アウトリガー４０と新設の他方の端横桁２１ｂをジャッキアップしている各ジャッキアップ用受台４２上のジャッキ４３ａ，４３ｂと第２の端横桁ジャッキアップ用受台１９ｂ上のジャッキ４３ｄをジャッキダウンすることで、上記各新規支承１６の上側に、上記中主桁５における切欠き部７ａの上側の桁端と、上記各外主桁４，６における新たに設けた切欠き部１８の上側の桁端をそれぞれ載置させて、上記中主桁５及び各外主桁４，６の荷重を、上記各新規支承１６と、それぞれ対応する各新規桁受ブラケット４４及び３９を介して上記鋼製橋脚１の横梁３に伝えて受けさせるようにする（ステップＢ１９：ＳＢ１９）。
【００８２】
上記のようにして中主桁５と各外主桁４，６の荷重を、各新規桁受ブラケット４４と３９を介して上記横梁３に支持させた後は、上記各アウトリガー４０及び各仮設横桁４１及び残りの各ジャッキ４３ａ，４３ｂ，４３ｄをそれぞれ撤去して（ステップＢ２０：ＳＢ２０）、端横桁取替作業、及び、支承取替作業を終了する。
【００８３】
これにより、図３４（イ）（ロ）に示すように、各主桁４と５及び各主桁５と６の桁端縁部同士が取り替えられた新設の端横桁２１ａ，２１ｂにより連結され、且つ上記各外主桁４，６の新たに切欠き部１８を設けた桁端と、上記中主桁５の補強された切欠き部７ａが設けてある桁端とを、鋼製橋脚１の横梁３の橋軸方向面における下部所要個所に設けた対応する新規桁受ブラケット３９と４４の上側に新規支承１６を介してそれぞれ支持させ、更に、上記既設の各端横桁８ａ，８ｂを支持していた既設の各桁受ブラケット９ａ，９ｃが撤去された構成を有するＩ桁橋が形成されるようになる。なお、本実施の形態では、上記したように中主桁５支持用の新規桁受ブラケット４４を、第１及び第２の各端横桁ジャッキアップ用受台１９ａ，１９ｂに一体に取り付けるようにしてあることから、該各上記端横桁ジャッキアップ用受台１９ａ，１９ｂは残置するようにしてある。
【００８４】
その他、図２３乃至３０（イ）（ロ）（ハ）に示したものと同一のものには同一の符号が付してある。
【００８５】
このように、本実施の形態によれば、図２２乃至図３０（イ）（ロ）（ハ）の実施の形態と同様の効果に加えて、中主桁５の桁端を、鋼製橋脚１の横梁３の橋軸方向面に新設する中主桁５支持用の新規桁受ブラケット４４に新規支承１６を介して支持させることで、該中主桁５を支持する支承回りの補強を実施することができる。
【００８６】
なお、上記横梁３の橋軸方向面に設けてある中主桁５支持用の既設の桁受ブラケット９ｂの新規桁受ブラケット４４への取り替えは、ステップＢ６（ＳＢ６）で図２４に示したと同様に、各外主桁４，６に設けたアウトリガー４０と既設の一方の端横桁８ａをジャッキアップすることにより、各主桁４，５，６の荷重を、上記既設の中主桁５支持用の桁受ブラケット９ｂより抜いた以降であれば、ステップＢ７（ＳＢ７）の前、あるいは、該ステップＢ７（ＳＢ７）からステップＢ１３（ＳＢ１３）までの間の任意のステップ間で行うようにしてもよい。
【００８７】
又、上記中主桁５支持用の新規桁受ブラケット４４は、鋼製橋脚１の横梁３の橋軸方向面における既設の中主桁５支持用の桁受ブラケット９ｂの撤去部分を補強する等して、該部分に単独で取り付けて各主桁４，５，６より作用する荷重を支持するための十分な強度を得ることができれば、第１及び第２の各端横桁ジャッキアップ用受台１９ａ，１９ｂとは分離させた状態で設けるようにしてもよい。よって、この場合は、上記中主桁５を該中主桁５支持用の新規桁受ブラケット４４に支持させた後に各主桁４，５，６の荷重の支持には関与しなくなる上記第１及び第２の各端横桁ジャッキアップ用受台１９ａ，１９ｂは、図３４に示したステップＢ２０で撤去するようにすればよい。
【００８８】
なお、図示してないが、図１５乃至図２１の実施の形態においても、図１におけるステップＡ３（ＳＡ３）と同様のステップＡ３（ＳＡ３）、すなわち、図３に示したように各外主桁と既設の一方の端横桁８ａをジャッキアップすることにより、各主桁４，５，６の荷重を、上記既設の中主桁５支持用の桁受ブラケット９ｂより抜いた以降であれば、ステップＡ１５（ＳＡ１５）で図２０に示したように新設の各端横桁２１ａ，２１ｂをジャッキダウンして上記各主桁４，５，６からの荷重が中主桁５支持用の桁受ブラケットに作用するまでの任意の時点で、鋼製橋脚１の横梁３の橋軸方向面に設けてある中主桁５支持用の既設の桁受ブラケット９ｂの新規桁受ブラケットへの取り替えを行うようにしてもよい。
【００８９】
更には、図１乃至図１４の実施の形態において、ステップＡ３（ＳＡ３）で図３に示したように各外主桁と既設の一方の端横桁８ａをジャッキアップすることにより、各主桁４，５，６の荷重を、上記既設の中主桁５支持用の桁受ブラケット９ｂより抜いた後、ステップＡ１０（ＳＡ１０）で図７に示したように、各外主桁４，６と新設の他方の端横桁２１ｂのジャッキダウンを行って、各主桁４，５，６からの荷重が中主桁５支持用の桁受ブラケットに作用するまでの任意の時点で、鋼製橋脚１の横梁３の橋軸方向面に設けてある中主桁５支持用の既設の桁受ブラケット９ｂの新規桁受ブラケットへの取り替えを行うようにしてもよい。
【００９０】
なお、本発明は上記実施の形態のみに限定されるものではなく、既設の端横桁８ａ，８ｂの新設の端横桁２１ａ，２１ｂへの取り替え順序は逆にしてもよい。
【００９１】
図１乃至図１４の実施の形態、及び、図１５乃至図２１（イ）（ロ）（ハ）の実施の形態で用いる第２の端横桁ジャッキアップ用受台１９ｂは、中主桁５と他方の外主桁６との間で行う既設の他方の端横桁８ｂの撤去作業、及び、新設の他方の端横桁２１ｂの取り付け作業に支障を来さなければ、ステップＡ２（ＳＡ２）で横梁３の各橋軸方向面の所定個所へ第１の端横桁ジャッキアップ用受台１９ａを設置するときに、同時に設置を行うようにしてもよい。
【００９２】
又、第１の端横桁ジャッキアップ用受台１９ａは、一方の外主桁４と中主桁５との間で行う既設の一方の端横桁８ａの撤去作業、及び、新設の一方の端横桁２１ａの取り付け作業に該第１の端横桁ジャッキアップ用受台１９ａが邪魔になる場合は、該作業の間、撤去するようにしてもよい。
【００９３】
図１５乃至図２１（イ）（ロ）（ハ）の実施の形態におけるステップＡ４ａ（ＳＡ４ａ）とステップＡ８ａ（ＳＡ８ａ）で行う各既設の端横桁８ａ，８ｂを支持していた既設の桁受ブラケット９ａ，９ｃの撤去は、ステップＡ３（ＳＡ３）における各主桁４，５，６のジャッキアップ操作の後、ステップＡ１５（ＳＡ１５）で各主桁４，５，６の桁端を新規支承１６の上に載置するまでの間であれば、任意の時点で行うようにしてもよい。
【００９４】
又、図１５乃至図２１（イ）（ロ）（ハ）の実施の形態では、各既設の端横桁８ａ，８ｂを各新設の端横桁２１ａ，２１ｂにそれぞれ取り替えた後、該各新設の端横桁２１ａ，２１ｂのジャッキアップによる各主桁４，５，６の荷重の支持を行った状態で、ステップＡ１３（ＳＡ１３）で各外主桁ジャッキアップ用受台１７を撤去してから、ステップＡ１４（ＳＡ１４）で各外主桁支点用ブラケット３５を新たに設けるようにしているが、上記各外主桁ジャッキアップ用受台１７を、各外主桁４，６を新規支承１６を介して支承するための上記各外主桁支点用ブラケット３５を兼ねる機能を有するものとしてもよい。この場合は、ステップＡ１３（ＳＡ１３）では、各外主桁ジャッキアップ用受台１７は残したまま、該各外主桁ジャッキアップ用受台１７上のジャッキ２０ａ，２０ｂのみを撤去するようにした後、ステップＡ１４（ＳＡ１４）で、上記各外主桁ジャッキアップ用受台１７上に新規支承１６を設置するようにすればよい。
【００９５】
図２２乃至図３０（イ）（ロ）（ハ）の実施の形態では、各主桁４，５，６の荷重の３点の支承個所のうち、中主桁５の桁端以外の２点の支承個所を、既設の各端横桁８ａ，８ｂより各外主桁４，６の桁端へ変更するものとして示したが、支承個所の変更が必要ない場合は、既設の各桁受ブラケット９ａと９ｃを撤去することなく、該各桁受ブラケット９ａ，９ｂを適宜補強してから、該各既設の桁受ブラケット９ａ，９ｃ上に、取り替えられた新設の端横桁２１ａ，２１ｂを、新規支承１６を介して載置して支持させるようにしてもよい。
【００９６】
桁端がフルウェブの外主桁４，６と、桁端に切欠き部７を有する中主桁５の隣接する桁端縁部同士を橋幅方向に延びる横桁で接続すると共に、上記各主桁４，５，６の荷重を、各主桁４と５，各主桁５と６の桁端縁部同士を接続している各支承用の横桁の位置で支承するようにしてある形式のＩ桁橋であれば、中主桁５を複数本具備した多主Ｉ桁橋における上記各支承用の横桁の取り替えにも適用してよい。更には、首都高速道路の高架橋以外のＩ桁橋にも適用してよい。
【００９７】
更に又、主桁の桁端縁部同士を接続し、且つ主桁の荷重を支承する横桁を備えていれば、Ｉ桁橋以外のいかなる形式の桁橋にも適用してよい。
【００９８】
その他本発明の要旨を逸脱しない範囲内で種々変更を加え得ることは勿論である。
【符号の説明】
【００９９】
１  鋼製橋脚（橋脚）
３  横梁
４  外主桁
５  中主桁
６  外主桁
８ａ，８ｂ  端横桁（支承用の横桁）
９ａ，９ｂ，９ｃ  桁受ブラケット
１０  支承
１６  新規支承
２１ａ，２１ｂ  新設の端横桁（新設の横桁）
３５  支点用ブラケット
３９  新規桁受ブラケット
４４  新規桁受ブラケット
【図１】
2011052434.tif 000003
【図２】
2011052434.tif 000004
【図３】
2011052434.tif 000005
【図４】
2011052434.tif 000006
【図５】
2011052434.tif 000007
【図６】
2011052434.tif 000008
【図７】
2011052434.tif 000009
【図８】
2011052434.tif 000010
【図９】
2011052434.tif 000011
【図１０】
2011052434.tif 000012
【図１１】
2011052434.tif 000013
【図１２】
2011052434.tif 000014
【図１３】
2011052434.tif 000015
【図１４】
2011052434.tif 000016
【図１５】
2011052434.tif 000017
【図１６】
2011052434.tif 000018
【図１７】
2011052434.tif 000019
【図１８】
2011052434.tif 000020
【図１９】
2011052434.tif 000021
【図２０】
2011052434.tif 000022
【図２１】
2011052434.tif 000023
【図２２】
2011052434.tif 000024
【図２３】
2011052434.tif 000025
【図２４】
2011052434.tif 000026
【図２５】
2011052434.tif 000027
【図２６】
2011052434.tif 000028
【図２７】
2011052434.tif 000029
【図２８】
2011052434.tif 000030
【図２９】
2011052434.tif 000031
【図３０】
2011052434.tif 000032
【図３１】
2011052434.tif 000033
【図３２】
2011052434.tif 000034
【図３３】
2011052434.tif 000035
【図３４】
2011052434.tif 000036
【図３５】
2011052434.tif 000037
【図３６】
2011052434.tif 000038
【図３７】
2011052434.tif 000039
【図３８】
2011052434.tif 000040
【図３９】
2011052434.tif 000041